(57)【要約】【課題】  このコア構造内には第二光源と活動式レンズが設計されており、スキャナ全体の体積を減らすことができるスキャナのコア構造を提供する。【解決手段】  プラットホーム式のスキャナの時に、第一光線を通過させ、或いはシーツフェド式のスキャナの時に、第二レンズから射入する第二光線を反射する活動式レンズと、第一レンズ或いは活動式レンズから導入する第一光線或いは第二光線を順に反射するレンズ群と、レンズ群から導入する第一光線或いは第二光線を集光するレンズと、レンズから集光される第一光線或いは第二光線を受信すると共に、第一光線或いは第二光線を電子信号に転換する光線検知素子とを含む。【選択図】  図３Ａ
2007166576.tif 000002
【特許請求の範囲】
【請求項１】
スキャナのコア構造は、
上端に第一開放溝及び第二開放溝を有するケースと、
前記ケース内で前記第一開放溝の近傍に設置され、プラットホーム式のスキャナの時に、必要な光源である第一光源と、
前記第二開放溝の近傍に設置され、シーツフェド式のスキャナの時に必要な光源である第二光源と、
前記第一開放溝の下端に設置され、前記第一開放溝から射入する第一光線を反射する第一レンズと、
前記第二開放溝の下端に設置され、前記第二開放溝から射入する第二光線を反射する第二レンズとを有し、
プラットホーム式のスキャナの時に、前記第一光線を通過させ或いはシーツフェド式のスキャナの時に、前記第二レンズから射入する第二光線を反射する活動式レンズと、
前記第一レンズ或いは前記活動式レンズから導入する前記第一光線或いは前記第二光線を順に反射するレンズ群と、
前記レンズ群から導入する前記第一光線或いは前記第二光線を集光するレンズと、
前記レンズから集光される前記第一光線或いは前記第二光線を受信すると共に、前記第一光線或いは前記第二光線を電子信号に転換する光線検知素子とを含むことを特徴とするスキャナコア構造。
【請求項２】
前記第一レンズと前記第二レンズの関係が水平反射の関係であることを特徴とする請求項1に記載するスキャナコア構造。
【請求項３】
前記第一レンズと前記第二レンズの間には映像平面があり、シーツフェド式のスキャナの時に、前記活動式レンズの反射面が映像平面と揃うことを特徴とする請求項2に記載するスキャナコア構造。
【請求項４】
さらに活動式の遮光板が前記第一開放溝と前記第二開放溝の下にあり、前記第一開放溝或いは前記第二開放溝を覆うとすることを含むことを特徴とする請求項１に記載するスキャナコア構造。
【発明の詳細な説明】
【技術分野】
【０００１】
本発明はスキャナのコア構造であり、特に２つの光源と切替可能な光の経路を備えるコア構造である。
【背景技術】
【０００２】
ユーザーが大量のシートをスキャンする際、一度に一枚のシートしかスキャンできないプラットホーム式スキャナではユーザーが満足することができない。そこで、自動シーツフェド装置を搭載し、図１Ａの示すように、プラットホーム式のスキャンを行い、かつ図１Ｂの示すように、シーツフェド式のスキャンを行うことのできるスキャナが目下スキャナの主流である。
【０００３】
続いて図１Ａ、図１Ｂに示すように、一般によく見かけるスキャナ１は、やはりプラットホーム式のスキャナと同じコア構造１０を用いており、シーツフェド式のスキャンを行う際、コア構造１０をスキャナウィンドウ１１の真下に移動させてからスキャンせねばならず、このタイプのスキャナ１の内部にはシーツフェド式のスキャンを行う際のコア構造１０を収納する収納空間１２がある程度必要であるので、スキャナ１全体の体積が大きくならざるをえない。
【発明の開示】
【発明が解決しようとする課題】
【０００４】
上述の発明の背景で記載された既存のスキャナが、シーツフェド式のスキャンをする際、コア構造を収納するための空間が必要とするに鑑み、そのため、スキャナ全体の体積が大きくなってしまうという問題点があり、このため、スキャナのコア構造を発明した目的は、シーツフェド式のスキャンをする際、コア構造が移動する距離を減らすことで、スキャナ全体の体積を減らすことである。
【課題を解決するための手段】
【０００５】
上述の目的による本発明はスキャナのコア構造であり、このコア構造は、第一光線、第二光線、第一レンズ、第二レンズ、活動式レンズ、レンズ群、レンズ、光線感知器、および上述の各光学部品を収納するケースを含む。そのケース上には、第一開放溝と第二開放溝があり、第一光線は第一開放溝の近くに設置され、プラットホーム式のスキャンを行う際に必要な光源を提供し、第二光線は第二開放溝の近くに設置され、シーツフェド式のスキャンを行う際に必要な光源を提供する。このほかに、第一レンズは第一開放溝の下にあり、第一開放溝から射入する第一光線を反射する。第二レンズは第二開放溝の下にあり、第二開放溝から射入する第二光線を反射する。活動式レンズはプラットホーム式スキャンを行う際、第一光線を通過させ、シーツフェド式のスキャンを行う際には第二レンズから入る第二光線を反射する。レンズ群は第一レンズもしくは活動式レンズから射入する第一光線もしくは第二光線を順に反射し、レンズ内に集光する。最後に、第一光線もしくは第二光線はレンズを経て、光線検知素子が現れ、電子信号に転換する。
【０００６】
本発明のスキャナのコア構造は、２つの光源を用い、切換可能な光の経路を設計しており、シーツフェド式のスキャンを行う際、スキャナ内の必要な予備空間を減らし、スキャナの体積を減らすことができる。
【発明を実施するための最良の形態】
【０００７】
［実施例］
本発明の好ましい実施例によれば、スキャナのコア構造を用い、このコア構造はプラットホーム式、シーツフェド式のスキャンを行う際の光の経路の切替および各光学部品の配置図は図２Ａ、図２Ｂに示している。
【０００８】
図２Ａ，図２Ｂに示すように、本実施例はスキャナ２内のコア構造２０は光源２２Ａ，２２Ｂ，レンズ２３Ａ、２３Ｂ，活動式レンズ２４，レンズ群２５，レンズ２６，光線検知素子２７および上述の各光学部品を収納するケース２８を含む。その中で、ケース２８上には２つの開放溝２８Ａ，２８Ｂがあり、それに対応して、２つの光源２２Ａと２２Ｂが２つの開放溝２８Ａ，２８Ｂの近くにある。このように、スキャナ２が図２Ａの示すプラットホーム式のスキャンもしくは図２Ｂの示すシーツフェド式のスキャンを行う際、光源２２Ａもしくは２２Ｂは、シート３Ａもしくは３Ｂ上をそれぞれ照らし、シート３Ａもしくは３Ｂから反射してきた光線を開放溝２８Ａもしくは２８Ｂを経て、ケース２８内に集光する。
【０００９】
本コア構造２０には２つの開放溝２８Ａ，２８Ｂがあり、スキャナ２をプラットホーム式のスキャンからシーツフェド式のスキャンに切り替える際、コア構造２０は少し移動するだけでよいか、コア構造２０を全く移動させる必要がなく、開放溝２８Ｂはスキャンウィンドウ２１の下にあり、光の経路を直接切り替えられ、シーツフェド式のスキャンを行うことができる。このように、スキャン２は既存の技術で一般に必要であった予備の空間にシーツフェド式のスキャンをする際のコア構造を収納する必要がなく、そのため、スキャナ２の体積を小さくすることができる。
【００１０】
本実施例のコア構造２０に於いて、それぞれの光源２２Ａもしくは２２Ｂは２つの蛍光灯で構成されているが、一つの蛍光灯だけでもよい。スキャナ２が図２Ａの示すようにプラットホーム式のスキャンを行う際、コア構造２０は光源２２Ａを開き、もう一方の光源２２Ｂを閉じる。同様に、スキャナ２は図２Ｂの示すようにシーツフェド式のスキャンを行う際、光源２２Ｂを開き、光源２２Ａを閉じる。
【００１１】
続いて、図２Ａ，図２Ｂに示すように、本実施例のコア構造２０はプラットホーム式スキャンとシーツフェド式のスキャンにそれぞれ用いる２つの開放溝２８Ａ，２８Ｂがあり、開放溝２８Ａ，２８Ｂの下にはそれぞれに対応したレンズ２３Ａと２３Ｂがある。その中で、レンズ２３Ａは開放溝２８Ａの射入する光線を受け、この光線を複数のレンズで構成するレンズ群２５の中に反射する。一方、レンズ２３Ｂは開放溝２８Ｂの射入する光線を受け、活動式レンズ２４と組み合わせ、光線を同じくレンズ群２５の中に反射する。とりわけ、本実施例のコア構造２０の中で、活動式レンズ２４は使用しているスキャン方式によって角度を変えることができ、というのは、スキャン２がプラットホーム式のスキャンを行う際、活動式レンズ２４は角度を水平（もしくは斜め）にしてレンズ２３Ａからレンズ群２５に送る光線を通過させることができる。また、スキャン２がシーツフェド式のスキャンを行う際、活動式レンズ２４は角度を垂直にしてレンズ２３Ｂから送る光線をレンズ群２５の中に反射させることができる。
【００１２】
図２Ａと図２Ｂによって、スキャナ２がプラットホーム式、シーツフェド式のスキャンを行う際の光の経路の変化が分かる。スキャナ２がプラットホーム式のスキャンを行う際、レンズ２３Ａは開放溝２８から入る光線をレンズ群２５の中に反射させ、レンズ群２５を通して光線をレンズ２６に順に送り、ＣＣＤといった光線検知素子上で、光線を電子信号に変換する。スキャン２がシーツフェド式のスキャンを行う際、レンズ２３Ｂは開放溝２８Ｂから入る光線を活動式レンズ２４に反射させ、レンズ群２５の中に送り、光線はレンズ２６を経て光線検知素子２７上で、光線を電子信号に変換する。
【００１３】
このほか、図３Ａと図３Ｂの示すのはコア構造２０内のレンズ２３Ａと２３Ｂ、活動式レンズ２４の位置図で、本実施例のコア構造２０の中で、レンズ２３Ａと２３Ｂの位置を調整して、２つのレンズ２３Ａと２３Ｂの関係を水平反射とすることができ、スキャナ２がシーツフェド式のスキャンを行い、活動式レンズ２４を図３の示すように垂直にする時、活動式レンズ２４の反射面２４Ａはちょうど２つのレンズ２３Ａと２３Ｂの映像平面５と揃う。このように、このコア構造のスキャナを応用すると、プラットホーム式のスキャンかシーツフェド式のスキャンかに関わらず、同じ長さのスキャンの光経路を維持することができる。
【００１４】
以上に述べた実施例は、本発明の技術アイディアおよび特徴を説明したに過ぎず、その目的はこの分野の技術者が本発明の内容と実施を理解できることであり、本発明の特許範囲を限定するものではなく、本発明の示す考えに大体において従い行う同等の変化、修飾は、本発明の特許範囲内にもちろん含まれる。
【図面の簡単な説明】
【００１５】
【図１Ａ】既存のスキャナの採用しているコア構造がプラットホーム式、シーツフェド式のスキャンを行う際の位置移動図である。
【図１Ｂ】既存のスキャナの採用しているコア構造がプラットホーム式、シーツフェド式のスキャンを行う際の位置移動図である。
【図２Ａ】本発明のスキャナのコア構造がプラットホーム式、シーツフェド式のスキャンを行う際の光経路の切替図である。
【図２Ｂ】本発明のスキャナのコア構造がプラットホーム式、シーツフェド式のスキャンを行う際の光経路の切替図である。
【図３Ａ】本発明のスキャナのコア構造がプラットホーム式、シーツフェド式のスキャンを行う際の、レンズと活動式レンズの位置図である。
【図３Ｂ】本発明のスキャナのコア構造がプラットホーム式、シーツフェド式のスキャンを行う際の、レンズと活動式レンズの位置図である。
【符号の説明】
【００１６】
１    スキャナ
１０  コア構造
１１  スキャナウィンドウ
１２  収納空間
２    スキャナ
２０  コア構造
２１  スキャナウィンドウ
２２A、22B    光源
２２A、22B    レンズ
２４  活動式レンズ
２４A  反射面
２５  レンズ群
２６  レンズ
２７  光線感知器
２８  ケース
２８A、２８B    開放溝
２９    活動式遮光板
３A、３B    シート
５    映像平面
【図１Ａ】
2007166576.tif 000003
【図１Ｂ】
2007166576.tif 000004
【図２Ａ】
2007166576.tif 000005
【図２Ｂ】
2007166576.tif 000006
【図３Ａ】
2007166576.tif 000007
【図３Ｂ】
2007166576.tif 000008